(57)【要約】【課題】被検査壁内の筋交いの配設状態を一見して可視的に観察でき、建築構造物の検査が確実、簡単かつ分かりやすく行うことできる筋交い検査装置を実現する。【解決手段】被検査体である構造物の電界強度Ｅを検出する筋交い検出装置６を有し、この筋交い検出装置６は、筋交い検出部２とデジタルデータ変換部２’とから成り、筋交い検出部２は、支持板１３の一面に一方向に間隔をおいて取り付けられた導電性金属板８から成る３以上の複数の検知板８と、複数の検知板８のそれぞれに接続された検波回路９とから成り、デジタルデータ変換部２’は、複数の検波回路９で検出された検出値をそれぞれデジタルデータに変換し、コンピュータ７において、一方向と走査方向から成る２次元の画像を表示可能なデータを生成する。【選択図】図１
0003121550.tif 000002
【実用新案登録請求の範囲】
【請求項１】
被検査体である建築構造物の静電容量に依存する電界強度を検出する筋交い検出装置を有する筋交い検査装置であって、
前記筋交い検出装置は、筋交い検出部とデジタルデータ変換部とを備え、
前記筋交い検出部は、支持板と、該支持板の一面に一方向に間隔をおいて取り付けられた導電性金属板から成る３以上の複数の検知板と、該複数の検知板のそれぞれに接続された電界強度計とを有し、
前記デジタルデータ変換部は、複数の電界強度計で検出された検出値をそれぞれデジタルデータに変換し、該デジタルデータを、コンピュータが前記一方向と前記走査方向から成る２次元の画像を表示可能とするデータとして供するものであることを特徴とする筋交い検査装置。
【請求項２】
前記デジタルデータ変換部は、Ａ／Ｄ変換器、シリアル出力Ｉ／Ｆ、及びＰＣ接続用Ｉ／Ｆを有し、
前記Ａ／Ｄ変換器は、筋交い検出部に接続されており前記複数の検出値をデジタル信号に変換し、前記シリアル出力Ｉ／Ｆは、前記デジタル信号をＰＣ接続用Ｉ／Ｆを介してコンピュータにシリアル伝送するものであることを特徴とする請求項１記載の筋交い検査装置。
【請求項３】
被検査体である建築構造物の静電容量に依存する電界強度を検出する筋交い検出装置を有し、該筋交い検出装置はコンピュータに接続されている筋交い検査装置であって、
前記筋交い検出装置は、筋交い検出部とデジタルデータ変換部とを備え、
筋交い検出部は、支持板の一面に一方向に間隔をおいて取り付けられた導電性金属板から成る３以上の複数の検知板と、該複数の検知板のそれぞれに接続された電界強度計を有し、
前記デジタルデータ変換部は、Ａ／Ｄ変換器、シリアル出力Ｉ／Ｆ、及びＰＣ接続用Ｉ／Ｆを有し、
前記デジタルデータ変換部は、複数の電界強度計で検出された検出値をそれぞれデジタルデータに変換し、
前記コンピュータは、前記デジタルデータに基づいて、前記一方向と前記走査方向から成る２次元の画像を表示可能な画像データを生成するものであることを特徴とする筋交い検査装置。
【請求項４】
前記複数の導電性金属板の互いに隣接する導電性金属板の間に、電界を遮蔽する遮蔽板が設けられていることを特徴とする請求項１、２又は３記載の筋交い検査装置。
【考案の詳細な説明】
【技術分野】
【０００１】
この考案は、建築構造物の壁面構造内に配設された補強用杆材（筋交い、鉄筋等）の配置や本数を検査する検査装置に関し、特に、木造家屋等、鉄筋建築物等の検査に簡単に使用できる筋交い検査装置に関する。
【背景技術】
【０００２】
我が国は地震頻発国であり、さらに将来も大きな地震の可能性がいろいろと予知されている。このような状況において、地震に対する建物の耐震性の有無の確認はきわめて重要な社会問題となっている。木造家屋や鉄筋建築物を、一般利用者が購入する場合、壁の内部の筋交いや鉄筋の配設状態を簡単に確認する手段としては打診等の手段があるが、必ずしも正確に確認することはできない。
【０００３】
従来、より正確に建築構造物の壁の内部の筋交いや鉄筋の配設状態を確認する手段としては、超音波、輻射熱の変化等を利用した非破壊検査機器等が用いられている。しかしながら、このような機器は、複雑で高価となるために、手軽に使用することはできない。
【０００４】
以上のとおり、近年、建築構造物の耐震性、安全性を確認するために、壁の内部の筋交いや鉄筋の配設状態、本数等の構造を簡単に確認でき、しかも簡単に持ち運びができるコンパクト性、可搬性に優れた検査装置が、建築分野の専門家だけでなく、住宅購入を希望する、或いはすでに購入済みの一般需用者からも求められている。
【０００５】
従来、所定距離を隔てて設けられた２つのセンサを備えた検知部を屋内壁面に沿って自在に移動させるセンサ移動装置と、アース電極に高周波電圧を印加する発振器と、アース電極の高周波電圧に起因し、木造家屋からの微弱な電磁界の強度差を２つのセンサで検出し、この検出信号を基に、壁のすじかいの有無を識別回路で識別する木造家屋のすじかい検出装置は公知である（特許文献１参照）。
【特許文献１】特開平１０−６２５５６号公報
【考案の開示】
【考案が解決しようとする課題】
【０００６】
そして、上記公知の木造家屋のすじかい検出装置は、あくまでも、２つのセンサで電磁界の強度差により壁内の筋交いの有無を検出するものであって、筋交い全体の配置状態を検出することはできない。これで筋交いの配置状態を知るためには、壁の多数のポイントでの筋交いの有無をそれぞれ検出するというきわめて煩雑な作業を要し、さらにそれらのデータから配設状態を推量しないと不可能と考えられる。要するに、上記従来の木造家屋のすじかい検出装置では、筋交いの配置状態を簡単に、一見することはできない。
【０００７】
本考案は、上記従来の諸問題を解決することを目的とするものであり、壁内の筋交い、鉄筋等の構造補強部材の配設や本数等の構造が、２次元画像によって一見することができる簡単な構造で、取扱が容易で、低下価格な、しかもコンパクトで可搬性に優れている筋交い検査装置を実現することである。
【課題を解決するための手段】
【０００８】
本考案は上記課題を解決するために、被検査体である建築構造物の静電容量に依存する電界強度を検出する筋交い検出装置を有する筋交い検査装置であって、前記筋交い検出装置は、筋交い検出部とデジタルデータ変換部とを備え、前記筋交い検出部は、支持板と、該支持板の一面に一方向に間隔をおいて取り付けられた導電性金属板から成る３以上の複数の検知板と、該複数の検知板のそれぞれに接続された電界強度計とを有し、前記デジタルデータ変換部は、複数の電界強度計で検出された検出値をそれぞれデジタルデータに変換し、該デジタルデータを、コンピュータが前記一方向と前記走査方向から成る２次元の画像を表示可能とするデータとして供するものであることを特徴とする筋交い検査装置を提供する。
【０００９】
前記デジタルデータ変換部は、Ａ／Ｄ変換器、シリアル出力Ｉ／Ｆ、及びＰＣ接続用Ｉ／Ｆを有し、前記Ａ／Ｄ変換器は、筋交い検出部に接続されており前記複数の検出値をデジタル信号に変換し、前記シリアル出力Ｉ／Ｆは、前記デジタル信号をＰＣ接続用Ｉ／Ｆを介してコンピュータにシリアル伝送するものである構成とすることが好ましい。
【００１０】
本考案は上記課題を解決するために、被検査体である建築構造物の静電容量に依存する電界強度を検出する筋交い検出装置を有し、該筋交い検出装置はコンピュータに接続されている筋交い検査装置であって、前記筋交い検出装置は、筋交い検出部とデジタルデータ変換部とを備え、筋交い検出部は、支持板の一面に一方向に間隔をおいて取り付けられた導電性金属板から成る３以上の複数の検知板と、該複数の検知板のそれぞれに接続された電界強度計を有し、前記デジタルデータ変換部は、Ａ／Ｄ変換器、シリアル出力Ｉ／Ｆ、及びＰＣ接続用Ｉ／Ｆを有し、前記デジタルデータ変換部は、複数の電界強度計で検出された検出値をそれぞれデジタルデータに変換し、前記コンピュータは、前記デジタルデータに基づいて、前記一方向と前記走査方向から成る２次元の画像を表示可能な画像データを生成するものであることを特徴とする筋交い検査装置を提供する。
【００１１】
前記複数の導電性金属板の互いに隣接する導電性金属板の間に、電界を遮蔽する遮蔽板が設けられている構成とすることが好ましい。
【考案の効果】
【００１２】
以上の構成から成る本考案に係る筋交い検査装置は、次のような顕著な効果を奏することができる。
（１）本考案に係る筋交い検査装置は、筋交いセンサー本体により取得したデータをコンピュータで画像化することで、被検査壁内の筋交いの配設状態を一見して可視的に観察することができるので、建築構造物の検査が確実、簡単かつ分かりやすく行うことができる。
【００１３】
（２）筋交いセンサー本体は、Ｘ線装置、赤外線カメラ、超音波発生装置等の複雑、高価で複雑な機器を組み込むことがなく、単に高周波発振器で建築構造物に微弱電圧を印加し、高周波発振器、検波回路等で形成される閉回路における壁を含む構造物に基づく静電容量の変化に伴う電界強度の変化を検波回路等で検出する構成であるから、簡単、コンパクト、低価格な構成となり、可搬性にすぐれ、建築専門家だけでなく、家屋購入を検討し、又購入済みの一般需用者等にもきわめて有用である。
【００１４】
（３）近年、パソコンが普及し、特に、モバイルパソコンなどの携帯性にすぐれたコンパクトなパソコンが普及している現状を鑑みると、パソコンを現場に携帯すれば、本考案の筋交い検出装置の構造が簡単で携帯性に優れているという効果を、より一層発揮させることができる。
【考案を実施するための最良の形態】
【００１５】
本考案に係る筋交い検査装置を実施するための最良の形態を、実施例に基づいて図面を参照して以下に説明する。
【実施例１】
【００１６】
（構成）
図１（ａ）は、本考案に係る筋交い検査装置の実施例の全体構成を示すブロック図である。この筋交い検査装置１は、筋交い検出部２とデジタルデータ変換部２’とから成る筋交い検出装置６を有することを特徴とする。
【００１７】
この筋交い検出装置６は、コンピュータ７に接続され、このコンピュータ７は、筋交い検出装置６で得られたデジタルデータに基づいて画像データを作成するものである。デジタルデータ変換部２’は、Ａ／Ｄ変換器３、シリアル出力Ｉ／Ｆ４、及びＰＣ接続用Ｉ／Ｆ５を備えている。
【００１８】
なお、本考案及び本明細書記載の「筋交い」は、木材又は鉄鋼等の金属で形成され木造家屋及び鉄骨建築物で壁体の構造強度の補強するために補強材として使用されるいわゆる「筋交い」だけでなく、建築構造物の壁や柱の補強に用いられるその他の補強杆材も含むものとする。
【００１９】
筋交い検出部２は、少なくとも３つ以上の複数の検知板８と、複数の検知板８のそれぞれに対応する複数の電界強度計（この実施例では検波回路９を利用する。）と、高周波発振器１０と、接地電極１１とから構成される。高周波発振器１０は、複数の検波回路９に接続される共通線１２と接地電極の間に抵抗Ｒiとともに接続される。この実施例では、３つ以上の複数の検知板８として、５つの検知板８を設けた構成として以下説明する。
【００２０】
５つの検知板８は、それぞれ導電性の金属板から形成される。この実施例では、検知板８として銅板を使用する。そして、この５つの検知板８は、図２（ａ）に示すように、長細い支持板１３の一面に長手方向に間隔をおいて一列に取り付けられている。隣接する検知板８の間には、図２（ｂ）に示すように、互いの電界の影響を遮蔽する遮蔽板１４を設けて、この遮蔽板１４を介して５つの検知板８を設ける構成とすることが好ましい。
【００２１】
長細い支持板１３の他面にはハンドル１５が取り付けられており、使用者はこのハンドル１５を把持して図３（ａ）、（ｂ）に示すように、５つの検知板８を検査すべき壁（被検査壁）１７の壁面に当接させて摺動することにより、被検査壁１７を走査することが可能である。この場合、図２（ａ）に示す支持板１３の一面１３’に、シリコンのパッドを付けると被検査壁１７をスムースに走査することが可能である。
【００２２】
なお、図２（ｃ）に示すように、  長細い支持板１３の両端に、ガイド用ローラ１６を設ける構成としてもよい。このような構成とすると、５つの検知板８を検査すべき壁１７（被検査壁）の壁面に当接させ、ガイド用ローラ１６を壁面に沿って転動させることで、図３（ｅ）に示すように、５つの検知板８で被検査壁１７を軽く走査することが可能である。
【００２３】
高周波発振器１０は、微小出力の高周波（例えば、発振周波１００ｋＨｚ）を接地電極１１を介して建築物の被検査壁１７を含む構造物に印加するものである。接地電極１１は、検知板１２に接続される共通線１２に接続され、建築物の被検査壁１７を含む構造物に接続するものである。接地電極１１を構造物に接続するためには、例えば、屋内に設けたアース用のコンセント１９（図３（ａ）参照）に接続したり、或いは水道栓等に接続したりする。
【００２４】
この筋交い検出部２では、接地電極１１と各検知板８との間、即ち、建築物の被検査壁１７を含む構造部分が静電容量を形成するように、高周波発振器１０、接地電極１１、抵抗Ｒｉ、建築物の被検査壁１７を含む構造部分、検知板８及び共通線１２で構成される閉回路が形成される。
【００２５】
図３（ａ）は、建築物の被検査壁１７を含む構造部分の一例として、一般の木造家屋を想定する。この構造部分では、地面２０上に束石２１、広束２２、根太２３等を介して被検査壁１７が構築されている。この例では、点線で示す部分を含む閉回路が形成される。
【００２６】
検波回路９は、検出した電界強度Ｅをアナログ電圧に変換する電界強度／電圧変換モジュール（Ｅ／Ｖコンバータモジュール。図示せず。）を有する周知の構成のものを利用する。この検波回路９により、高周波発振器１０で高周波を建築物の被検査壁１７を含む構造部分に印加した際の、接地電極１１と複数の検知板８との間の静電容量Ｃの変化に伴う電界強度Ｅの変化それぞれを検出し、これをアナログ電圧に変換し、検知電圧としてＡ／Ｄ変換器３に出力する。
【００２７】
図１（ｂ）は、この実施例において、高周波発振器１０にて印加され、建築物の被検査壁１７から放射され、筋交い検出部２にて受信される電磁波の電界強度Ｅoに対応した電圧出力を得るための検波回路９の構成を示す。
【００２８】
即ち、高周波発振器１０では高周波信号（電波）を印加する。これが建築物に伝わることで、被検査壁１７がアンテナとなり、この信号を空気中に電波として放出する。筋交い検出部２では、この電波を受信し、その電波の強さ（電界強度Eo）を測定する。なお、検波回路においては、高周波発振器１０にて印加された信号のみを選択的に検出する構成とすることで、その精度の向上を図ることが望ましい。
【００２９】
筋交い検出装置６は、前述のとおり、筋交い検出部２、Ａ／Ｄ変換器３、シリアル出力Ｉ／Ｆ４、及びＰＣ接続用Ｉ／Ｆ５等から成るが、装置としては、これらを適宜、組み合わせて１又は２以上のケース等に集積して設ける構成とすればよい。
【００３０】
例えば、筋交い検出部２の５つの検知板８と検波回路９を長細い支持板１３に設けて別体として、その他の部分、即ち、Ａ／Ｄ変換器３、シリアル出力Ｉ／Ｆ４、及びＰＣ接続用Ｉ／Ｆ５と、筋交い検出部２の高周波発振器１０を一つのケースにまとめた構成でもよい。或いは、筋交い検出部２の５つの検知板８だけを支持板１３に設けて別体として、Ｃメータ９は上記ケース内に設ける構成としてもよい。
【００３１】
Ａ／Ｄ変換器３は、複数の検波回路９から入力されたアナログ電圧を、それぞれデジタル信号に変換して、シリアル出力Ｉ／Ｆ４に出力する。シリアル出力Ｉ／Ｆ４は、複数の検波回路９で得られＡ／Ｄ変換器３で変換されたそれぞれのデジタル信号（検出データ）を、時間的に逐次処理し順次データとして、ＰＣ接続用Ｉ／Ｆ５に向けてシリアル伝送する。
【００３２】
そして、ＰＣ接続用Ｉ／Ｆ５は、シリアル出力Ｉ／Ｆ４からシリアル伝送された検出データに基づいて画像データを形成するための解析用のコンピュータ７に入力する。このＰＣ接続用Ｉ／Ｆ５としては、現在、普及しているＵＳＢ等を使用する。
【００３３】
解析用のコンピュータ７は、通常使用されているパソコン等でよい。筋交い検出部２の５つの検知板８で検出した電界強度Ｅは、壁１７の内部の構造、材質による誘電率等により決定される。
【００３４】
図３（ａ）、（ｃ）、（ｄ）において、検知板８を当接している被検査壁１７の内部の走査箇所（図中鎖線Ｓ参照）に、図３（ｃ）に示すように筋交い１８がない場合、図３（ｄ）に示すように筋交い１８がある場合で検出する電界強度Ｅが異なる。この電界強度Ｅの相違は、筋交い検出装置６により、上記デジタル信号（検出データ）の相違として解析用のコンピュータ７に取り込まれることとなる。
【００３５】
解析用のコンピュータ７には、このデジタル信号の相違に基づいて、濃淡を有するデジタル画像を生じるような手段を設ける。実際は、このようにデジタル信号の相違に基づいて、濃淡を有するデジタル画像を生じる手段として、コンピュータ７を機能させるプログラムにより行うものである。
【００３６】
本考案では、支持板１３の一面に一列に配列された５つの検知板８で、被検査壁１７を走査することにより、被検査壁１７の内部の構造、材質の相違に基づく、検出される電界強度Ｅの相違によって、支持板１３の長手方向と走査方向（スキャン方向）の２次元平面における濃淡を有する画像データが解析用のコンピュータ７で生成されることとなる。
【００３７】
これを、コンピュータ７に接続したディスプレーで可視化し、或いはプリンタで印刷することで、被検査壁１７の内部の材質及び構造が可視的に把握可能となる。
【００３８】
なお、検知板８は少なくとも３個以上設ける必要があるが、その数が多くなれば検出する筋交いの画像の画素数が多くなり画像が詳細になる。しかし、筋交いの配設の状態は、必ずしもきわめて詳細に分析する必要はなく、概ねの構造や配置状態（方向、長さ）が検出できればよいので、検知板８の数は、３〜７個であっても実用性は十分である。
【００３９】
（作用）
以上の構成から成る筋交い検査装置１の作用をその使用態様を通して説明する。ここでは、図３（ａ）に示すような構造物における被検査壁１７の筋交いの検査に使用することを想定する。この被検査壁１７は、図４（ａ）に示すように、その内部の上端近くには筋交い１８が存在せず、上端より下方から斜めに筋交い１８が入っている構造とする。
【００４０】
筋交い検査装置１で被検査壁１７の筋交い１８の配置状態の検査を行う場合には、図３（ａ）、（ｂ）に示すように、使用者は、支持板１３のハンドル１５を把持し、検知板８を検査すべき被検査壁１７の壁面に当接させ被検査壁１７の面に沿って上方から下方に摺動し、５つの検知板８で被検査壁１７を走査する。
【００４１】
５つの検知板８は、それぞれ建築物の被検査壁１７を含む構造部分の電界強度を検出し、それぞれアナログ電圧としてＡ／Ｄ変換器３に送り、そこでそれぞれデジタル信号とされシリアル出力Ｉ／Ｆ４に送られる。シリアル出力Ｉ／Ｆ４では、５つの検知板８で検知され、デジタル化された上記デジタル信号を逐次データとして、ＰＣ接続用シリアルＩ／Ｆ（ＵＳＢ）５を介して、解析用のコンピュータ７に入力される。
【００４２】
解析用のコンピュータ７では、筋交い検出装置６から入力されたデジタル信号に基づき、所定の画像化プログラムで２次元の濃淡を有する画像データが形成され、ディスプレー（図示せず）で画像が表示される。
【００４３】
図４（ａ）は被検査壁１７の筋交い１８の構造を示す図であり、図４（ｂ）、（ｃ）は、筋交い検出装置６の走査位置と、コンピュータ７における画像データに基づく画像との関係を示す図である。５つの検知板８が図４（ｂ）の（イ）の位置にあり図３（ｃ）に示すように筋交いがない場合は、５つの検知板８で検知した結果のデジタル信号はそれぞれ概ね同じであるから、図４（ｃ）の（イ）に示すように、コンピュータ７で形成された画像には、筋交い１８等は観察されない。
【００４４】
しかし、支持板１３を下方に移動し、図４（ｂ）の（ロ）に示すように、右から右端の検知板８が筋交い１８に対応する位置にくると、図３（ｄ）に示すように筋交い１８があるので、この筋交い１８に起因して他の４つの検知板８とは異なる電界強度を検知するから、コンピュータ７に入力されるデジタル信号も他の４つの検知板８による検知信号とは異なり、その結果、この位置では、図４（ｃ）の（ロ）に示すように、右端の検知板８が筋交い１８に対応する部分２４については、例えば、濃度が大きい画像のデータが生成され、これが保存される。
【００４５】
支持板１３を下方に移動し、図４（ｂ）の（ハ）に示すように、中央の検知板８が筋交い１８に対応する位置にくると、図３（ｄ）に示すように筋交い１８があるので、この筋交い１８に起因して他の４つの検知板８とは異なる電界強度を検知するから、コンピュータ７に入力されるデジタル信号も他の４つの検知板８による検知信号とは異なり、その結果、この位置では、図４（ｃ）の（ハ）に示すように、中央の検知板８が筋交い１８に対応する部分２４については、例えば、濃度が大きい画像のデータが生成され、これが保存される。
【００４６】
支持板１３が被検査壁１７の下端近くまで移動し、図４（ｂ）の（ニ）に示すように、左端の検知板８が筋交い１８に対応する位置にくると、上記同様に、筋交い１８に起因して他の４つの検知板８とは異なる電界強度を検知するから、コンピュータ７に入力されるデジタル信号も他の４つの検知板８による検知信号とは異なり、その結果、左端の検知板８が筋交い１８に対応する部分２４では、図４（ｃ）の（ニ）に示すような濃度が大きい画像のデータが生成され保存される。
【００４７】
このように、支持板１３の走査を行うことにより、被検査壁１７の内部に設けられた筋交い１８に起因して電界強度が変化するから、この変化をアナログ電圧からさらにデジタル信号に変換し、これをコンピュータ７で画像化することにより、図４（ｃ）の（ホ）に示すように、筋交い１８に対応する部分２４がほぼ連続的に濃度が大きく、その配置位置を明示する濃淡を有する画像のデータを簡単に生成することができ、ディスプレーでこの画像を表示し、或いはプリンターで印刷して可視化することができる。
【００４８】
以上、本考案に係る筋交い検査装置の最良の形態を実施例に基づいて説明したが、本考案は特にこのような実施例に限定されることなく、実用新案登録請求の範囲記載の技術的事項の範囲内でいろいろな実施例があることはいうまでもない。
【産業上の利用可能性】
【００４９】
本考案に係る筋交い検査装置は、木材又は鉄鋼等の金属で形成され木造家屋及び鉄骨建築物で壁体の構造強度の補強するための筋交いだけでなく、建築構造物の壁や柱の補強に用いられるその他の補強杆材についても、その配設状態を簡単に画像化して検査する手段として適用可能である。
【図面の簡単な説明】
【００５０】
【図１】本考案の実施例の構成を説明する図である。
【図２】本考案の実施例の構成及び使用状態について説明する図である。
【図３】本考案の実施例の作用を説明する図である。
【図４】本考案の実施例の作用を説明する図である。
【符号の説明】
【００５１】
１  筋交い検査装置             
２  筋交い検出部               
２’   デジタルデータ変換部
３  Ａ／Ｄ変換器               
４  シリアル出力Ｉ／Ｆ         
５  ＰＣ接続用Ｉ／Ｆ           
６  筋交い検出装置             
７  コンピュータ               
８  検知板                     
９  検波回路（電界強度計）     
１０  高周波発振器             
１１  接地電極                 
１２  共通線                   
１３  支持板 
１３’   支持板の一面                    
１４  遮蔽板                   
１５  ハンドル                 
１６  ガイド用ローラ           
１７  被検査壁                 
１８  筋交い
１９  アース用コンセント
２０  地面
２１  束石
２２  広束
２３  根太
２４  画像上筋交いに対応する部分                 
【図１】
0003121550.tif 000003
【図２】
0003121550.tif 000004
【図３】
0003121550.tif 000005
【図４】
0003121550.tif 000006